(57)【特許請求の範囲】
【請求項１】
浮屋根本体の外周部に外周リム板とその内側に所定間隔をおいて形成した内周リム板と前記外周リム板及び内周リム板を架渡すポンツーン上板を備えたポンツーンを有する貯槽の浮屋根であって、前記ポンツーンの上板は、ポンツーン上を浮屋根の内側に向かって流れようとする消火剤及び又は貯蔵液の流れる方向を変更する傾斜を有し、前記傾斜は全体を内側よりも外側が低くなるように形成し、前記ポンツーン上板の内周部から上方に張り出した張出部を有することを特徴とする貯槽の浮屋根。
【請求項２】
浮屋根本体の外周部に外周リム板とその内側に所定間隔をおいて形成した内周リム板と前記外周リム板及び内周リム板を架渡すポンツーン上板を備えたポンツーンを有する貯槽の浮屋根であって、前記ポンツーンの上板は、ポンツーン上を浮屋根の内側に向かって流れようとする消火剤及び又は貯蔵液の流れる方向を変更する傾斜を有し、前記傾斜は全体を内側よりも外側が低くなるように形成し、前記ポンツーン上板の内周部から上方に張り出した張出部を有するとともに前記浮屋根は、固定屋根付浮屋根式貯槽の内部浮屋根であることを特徴とする請求項１記載の貯槽の浮屋根。
【発明の詳細な説明】
【技術分野】
【０００１】
本発明は、貯槽の浮屋根に関する。
【背景技術】
【０００２】
例えば特許文献１の考案には、浮屋根のポンツーンを、上面ほぼ水平とし、かつ上面から外側面に連なる上縁部分を固定屋根の下面対応部に沿う斜切面に形成してなる固定屋根つき浮屋根式タンクが開示されている。  また、特許文献２の発明には、浮屋根のポンツーン上部内側にエアーフォーム泡消火剤を堰き止める垂直な堰板を設け、該堰板の下端内側より屋根板上面に至る配管を設け、該配管の途中に地震を検知して作動する自立機械式の緊急遮断弁を設けることを特徴とする浮屋根のポンツーン上部の排液構造が開示されている。
【０００３】
【特許文献１】実開昭５７−２４２８４号
【特許文献２】特開２００５−２３９２４３
【発明の開示】
【発明が解決しようとする課題】
【０００４】
特許文献１の固定屋根つき浮屋根式タンクのポンツーンは、地震時液面が振動しいわゆるスロッシング現象を起した時に、ポンツーンの外側面上縁が固定屋根の下周面に衝突して損傷しないように傾切面に形成したものである。また特許文献２の浮屋根のポンツーンは、ポンツーン上に溜まる雨水を屋根中央へ導いて排出し、地震等で万一貯蔵液がポンツーン上部へ侵入した時には、この侵入液が屋根板上部全体に拡がるのを防止する排液構造を設けたものである。
しかし、これら特許文献１及び特許文献２のようなポンツーンタイプ浮屋根は、浮屋根と側板との間に消火剤や貯蔵液を優先して導くようにしたものではなく、以下のような不都合があった。
【０００５】
この不都合について従来一般のポンツーンタイプ浮屋根の事例、図５を参照しながら詳細に説明する。
図５に示す貯槽５００は、側板５１１を有し、貯蔵液２０が貯蔵され、ポンツーンタイプ浮屋根５０１が貯蔵液２０に浮かべられている。ポンツーンタイプ浮屋根５０１は、浮屋根本体外周部にポンツーン５０６が形成されている。また、ポンツーンタイプ浮屋根５０１と側板５１１との間には、シール装置（図示せず）が適宜形成される。
ポンツーンタイプ浮屋根５０１と側板５１１との間の液面２１やその付近の所定箇所等の火災発生箇所で火災が起こった場合には、側板の上端等に設置された消火剤放出装置から消火剤が放出される。しかし、消火剤は、その一部が図５の矢印Ｘ１のようにポンツーン５０６上に落ち、ポンツーン５０６上を浮屋根の内側に向かって流れてデッキ５０３上に溜まってしまい、火災発生箇所にすばやく到達しない（火災発生箇所に消火剤が溜まりにくい）という不都合があった。
【０００６】
また、異常沸騰や異常昇圧時等の非常時にポンツーンタイプ浮屋根５０１と側板５１１との間から吹き上げた貯蔵液２０は、図５の矢印Ｙ１のようにポンツーン５０６上に落ち、ポンツーン５０６上を浮屋根の内側に向かって流れてデッキ５０３上に溜まってしまい浮力が低下するという不都合が生じた。
【０００７】
本発明は上記点に鑑みてなされたものであり、その目的とするところは、火災発生箇所に消火剤がすばやく到達するようにし、また非常時に吹き上げた貯蔵液がデッキ上に溜まってしまい浮力が低下する事態を防ぐ貯槽の浮屋根を提供することにある。
【課題を解決するための手段】
【０００８】
上記課題を解決するため、請求項１記載の発明に係る貯槽の浮屋根は、浮屋根本体の外周部に外周リム板とその内側に所定間隔をおいて形成した内周リム板と前記外周リム板及び内周リム板を架渡すポンツーン上板を備えたポンツーンを有する貯槽の浮屋根であって、前記ポンツーンの上板は、ポンツーン上を浮屋根の内側に向かって流れようとする消火剤及び又は貯蔵液の流れる方向を変更する傾斜を有し、前記傾斜は全体を内側よりも外側が低くなるように形成し、前記ポンツーン上板の内周部から上方に張り出した張出部を有することを特徴とする。
【００１０】
また、請求項２記載の発明に係る貯槽の浮屋根は、浮屋根本体の外周部に外周リム板とその内側に所定間隔をおいて形成した内周リム板と前記外周リム板及び内周リム板を架渡すポンツーン上板を備えたポンツーンを有する貯槽の浮屋根であって、前記ポンツーンの上板は、ポンツーン上を浮屋根の内側に向かって流れようとする消火剤及び又は貯蔵液の流れる方向を変更する傾斜を有し、前記傾斜は全体を内側よりも外側が低くなるように形成し、前記ポンツーン上板の内周部から上方に張り出した張出部を有するとともに前記浮屋根は、固定屋根付浮屋根式貯槽の内部浮屋根であることを特徴とする。

【発明の効果】
【００１１】
請求項１記載の発明に係る貯槽の浮屋根は、浮屋根本体の外周部にポンツーンを有する貯槽の浮屋根であって、前記ポンツーンの上板は、ポンツーン上を浮屋根の内側に向かって流れようとする消火剤及び又は貯蔵液の流れる方向を変更する傾斜を有し、前記傾斜は全体を内側よりも外側が低くなるように形成し、前記ポンツーン上板の内周部から上方に張り出した張出部を有するので、ポンツーン上を浮屋根の内側に向かって流れようとする消火剤や吹き上げた貯蔵液の流れる方向は、外側に向くように変更される。このため、消火剤や吹き上げた貯蔵液が浮屋根の内側に向かって流れてデッキ上に溜まってしまうことを防ぐことが出来る。さらに、消火剤は、ポンツーン上を内部浮屋根の周方向に略沿って流れながら上記のように外側に向かって流れることができるため、消火剤が火災発生箇所にすばやく到達することができる。以上より、本発明に係る貯槽の浮屋根は、消火剤が火災発生箇所にすばやく到達し、また異常沸騰や異常昇圧時等の非常時に吹き上げた貯蔵液がデッキ上に溜まってしまい浮力が低下する事態を防ぐことができる。
さらに、前記ポンツーン上板の内周部から上方に張り出した張出部を有するので、ポンツーン上を流れる消火剤や非常時に吹き上げた貯蔵液の流れる方向をより確実に変更できる。そして、これにより、消火剤や吹き上げた貯蔵液が、浮屋根の内側に向かって流れることを防ぎ、デッキ上に溜まってしまうことをより確実に防ぐことが出来る。
【００１３】
通常、ポンツーン上を流れる雨が貯蔵液に流れ落ちることを防いでデッキ側に流れるように、ポンツーンの上面は水平か内側が外側よりも低くなるように形成される。しかし、請求項２に係る発明は、請求項１に係る発明の効果を有する他に、浮屋根が固定屋根付浮屋根式貯槽の内部浮屋根であることにより、雨を考慮することなく、ポンツーンの上面を外側が低くなる傾斜を有するようにあえて形成できる。このため、雨よけ装置等を形成することなく容易に本発明に係る浮屋根を形成できる。
【発明を実施するための最良の形態】
【００１４】
本発明の一実施形態について図面を参照しながら説明する。なお、図面において同様のものや対応するもの、総称できるものについては同じ符号を付して説明する。本発明は、下記の実施形態にのみ限定されるものではない。本発明の要旨を逸脱しない範囲で実施形態に変更（例えば各部材の形状の変更等）を加えることが出来るのはもちろんである。本発明の要旨を逸脱しない範囲で実施形態の構成要素を省略出来るのはもちろんである。
【００１５】
本実施形態に係る貯槽の浮屋根は、浮屋根本体の外周部にポンツーンを有する貯槽の浮屋根であって、前記ポンツーンの上面は、ポンツーン上を浮屋根の内側に向かって流れようとする消火剤及び又は貯蔵液の流れる方向を変更する傾斜を有し、前記傾斜は、内側よりも外側が低くなるように形成したものである。また、前記ポンツーンは、上方に張り出した張出部を有する。なお、各部材は金属等により形成し、各部材は溶接等により他の部材と接合する。
【００１６】
本実施形態の一例を図１乃至図５で詳しく説明する。なお、図において断面のハッチングを一部省略した。なお、本発明の実施形態は、固定屋根付浮屋根式貯槽の事例を詳述するが、雨水対策（図示省略）、例えば、側板と浮屋根との間に性能の良い雨よけ板を設け、その側板と浮屋根との間に降る雨水を雨樋等で案内して貯槽外に排出するルーフドレンを設ければ、固定屋根を設けない浮屋根式貯槽に適用することができる。
実施形態例のように、浮屋根が固定屋根付浮屋根式貯槽の内部浮屋根１である場合には、雨を考慮することなく、ポンツーンの上面を外側が低くなる傾斜を有するように、本発明に係る浮屋根を形成することができる。
【００１７】
図１に示すように、固定屋根付浮屋根式貯槽１０は、図示しない基礎上に形成した板状（ここでは円盤状）の底板１２と、この底板１２上に形成した筒状（ここでは円筒状）の側板１１と、この側板１１に蓋をする屋根１３とを有する。また、固定屋根付浮屋根式貯槽１０は、引火性の高いベーパーを発生しやすい石油製品等の貯蔵液２０を貯蔵する。固定屋根付浮屋根式貯槽１０は、貯蔵液２０に浮かべた内部浮屋根１を有する。貯蔵液２０は、石油製品などの液体燃料等である。また、図３に示すように、固定屋根付浮屋根式貯槽１０は、消火剤放出装置１５を側板上部（例えば側板１１の上端部）に有する。火災発生時、この消火剤放出装置１５は消火剤を放出する。なお、固定屋根付浮屋根式貯槽１０は、内部浮屋根１と側板１１との間に形成した、シール装置（図示せず）等を適宜有する。
【００１８】
図１乃至図４のように、内部浮屋根１は、内部浮屋根本体の外周部にポンツーン６を有するポンツーンタイプの浮屋根であり、デッキ３と、このデッキ３を囲むように環状（閉じた形状で円環状に限らない。ここでは円環状）に形成した内部空洞のポンツーン６とを有する。デッキ３は、ここでは、板状部材２の外周部を除いた部分により構成される板状（ここでは特に円盤状）のシングルデッキであるが、他の構成のシングルデッキ又はダブルデッキ等であっても良い。
例えば、ポンツーン６は、図１乃至図４のように、板状部材２の外周部と、板状部材２の外周部の外周（縁）に沿ってこの外周上に形成した筒状（ここでは円筒状）の外周リム板４と、この外周リム板４と平行で（ここでは同心円状で）、外周リム板４と所定の間隔を置いて板状部材２の外周部の内側に形成した筒状（ここでは円筒状）の内周リム板５と、外周リム板４及び内周リム板５を架渡す環状（ここでは円環状）のポンツーン上板７と、このポンツーン上板７の内周部に形成した筒状（ここでは円筒状）の張出部８とを有する。この場合、ポンツーン６の底板は、板状部材２の外周部で構成されているが、ポンツーン６の底板は、板状部材２とは別の板状部材で形成しても良い。すなわち、ポンツーン６を、板状部材２を利用して形成するのではなく、デッキ３とは別途形成し、デッキ３と接合してもよい。この際、内周リム板５の上下方向途中にデッキ３を接合しても良い。また、内部浮屋根１は、内部浮屋根１の浮力を増加させる浮力増加部（図示せず）を適宜有する。
【００１９】
図１、図２、図４のように、ポンツーン６の上面７ａ（ポンツーン上板７の表面）は、ポンツーン６上を内部浮屋根１の内側に向かって流れようとする消火剤及び又は貯蔵液２０の流れる方向を変更する傾斜を有する。また、この傾斜は、内側（内周リム板５側）よりも外側（外周リム板４側）が低くなるように形成したものである。ポンツーン６上を内部浮屋根１の内側に向かって流れようとする消火剤及び又は貯蔵液２０の流れる方向を変更するように、傾斜の角度、面積を決定し、ポンツーン６の上面７ａに、内側よりも外側が低くなる傾斜を形成する。例えば、上面７ａを内側よりも外側が低くなるように傾斜させてこの傾斜を形成する。この傾斜は、ポンツーン６の上面７ａ全面に渡ってポンツーン６の周方向に対して略直角方向に内側から外側に向かって徐々に低くなるように形成する。これにより、消火剤及び又は貯蔵液２０がポンツーン６上のどこに落ちても、消火剤及び又は貯蔵液２０の流れる方向を変更し得るので、デッキ３に消火剤及び又は貯蔵液２０が流れることをより確実に防げる。この傾斜は、例えば、図１、図２、図４のように、外周リム板４を内周リム板５よりも低くして環状のポンツーン上板７（ここでは上面板）を架渡すことにより形成する。また、この傾斜は、例えば、外周リム板４と内周リム板５とを同じ高さにして、環状かつ断面略三角形のポンツーン上板７（内部は中空でも良い。）を架渡すことにより形成しても良い。
【００２０】
図１、図２、図４のように、張出部８は、上方に張り出したものであり、ポンツーン６の上面７ａ上、すなわちポンツーン上板７上に形成される。例えば、この張出部８は、図１、図２、図４のように、ポンツーン６の内周側の縁に形成する。すなわち、この張出部８は、ポンツーン６の内周リム板５に対応し、内周リム板５を延長するようにポンツーン上板７上に形成する。この張出部８は、図１、図２、図４のように、消火剤や吹き上げた貯蔵液が浮屋根の内側（デッキ３上）に流れないように堰き止める堰止部であり、具体的には堰板である。この張出部８は、内周リム板５を上方に延長したものであっても良い。なお、これに限らず、この張出部８は、例えば、ポンツーン６の内周部（内周側の縁又はその近傍）に設ければ良い。この張出部８は、ポンツーン６上を（又はポンツーン６上の空中を）流れる消火剤や吹き上げた貯蔵液の流れる方向を変更できる位置であれば良い。
【００２１】
消火剤放出装置１５が放出した消火剤は、一部が側板１１を伝って下方に落ち、他の一部がポンツーン６上に落ち、ポンツーン６上（上面７ａ上）を内部浮屋根１の内側（内周リム板５側）に向かって流れようとする。しかし、ポンツーン６の上面７ａがポンツーン６上を内部浮屋根１の内側に向かって流れようとする消火剤の流れる方向を変更する傾斜を有し、前記傾斜を内側よりも外側が低くなるように形成したので、ポンツーン６上を流れる消火剤の流れる方向が外側（外周リム板４側）に向くように変更されるので、消火剤は、ポンツーン６上を内部浮屋根１の周方向に略沿って流れながら外側に向かって流れる。すなわち、消火剤は、図２及び図３の矢印のように流れ、消火剤放出装置１５から遠い位置に到達出来、さらに、遠い位置の液面２１に落ちることも出来る。このため、消火剤放出装置１５から離れた火災発生箇所Ｚにもすばやく到達することができる（図３の破線矢印参照）。また、消火剤がポンツーン６上を内部浮屋根１の内側に向かって流れ、デッキ３上にショートパスしてしまうことを防ぐことが出来る。
【００２２】
また、異常沸騰や異常昇圧時等の非常時に側板１１と内部浮屋根１との間の液面２１から貯蔵液２０が吹き上げた場合、この貯蔵液２０は、少なくとも一部がポンツーン６上に落ち、ポンツーン６上を内部浮屋根１の内側に向かって流れようとする。しかし、ポンツーン６の上面７ａがポンツーン６上を内部浮屋根１の内側に向かって流れようとする消火剤の流れる方向を変更する傾斜を有し、前記傾斜を内側よりも外側が低くなるように形成したので、ポンツーン６上を流れる吹き上げた貯蔵液２０の流れる方向は、外側に向くように変更される（図４の矢印Ｒ参照）。このため、吹き上げた貯蔵液２０は、元に戻ることが出来、吹き上げた貯蔵液２０が浮屋根の内側に向かって進み、デッキ３上に溜まってしまうことを防ぐことが出来る。
【００２３】
以上より、内部浮屋根１は、消火剤が火災発生箇所Ｚにすばやく到達することができる。また、非常時に吹き上げた貯蔵液２０がデッキ３上に溜まってしまい浮力が低下する事態を防ぐことができる内部浮屋根１となる。
【００２４】
また、ポンツーン６は、上方に張り出した張出部８を有するので、ポンツーン６上を（又は消火剤の勢いや、非常時の貯蔵液２０の吹き上げの強さによっては、ポンツーン６上の空中を）内部浮屋根１の内側に向かって流れようとする消火剤や、吹き上げた貯蔵液２０を堰き止め、これらの流れる方向をより確実に変更できる。特に、消火剤の勢いが強い場合や非常時に貯蔵液２０の強い吹き上げが生じる場合等に有効である。そして、これにより、消火剤や吹き上げた貯蔵液が、ポンツーン６上や空中を内部浮屋根１の内側に向かって流れることを防ぎ、デッキ３上に溜まってしまうことをより確実に防ぐことが出来る。張出部８が上方に張り出しているので、放出の勢いの強い消火剤が内部浮屋根１の内側に向かって流れショートパスすることを防ぐことが出来、消火剤の勢いによっては、消火剤の流れる方向をより適切に内部浮屋根１の周方向に略沿うように変更でき、消火剤がより遠くまでポンツーン６上を流れ、火災発生箇所に（図３のＺ参照）より確実に到達することも可能となる。また、非常時に強く吹き上げた貯蔵液２０に対しても、より確実にこの貯蔵液２０が内部浮屋根１の内側に向かって流れることを防ぐことが出来る。
【産業上の利用可能性】
【００２５】
上記説明したように、本実施形態に係る貯槽の浮屋根はポンツーンタイプ浮屋根に広く適用が可能となり、さらに、固定屋根付きのパンタイプ浮屋根（パンデッキ形浮屋根）からポンツーンタイプ浮屋根へ改造する際にも本発明に係る浮屋根構造を採用することができるので産業上広範囲に適用が可能となる。
【図面の簡単な説明】
【００２６】
【図１】固定屋根付浮屋根式貯槽の内部浮屋根の一例の一部の概略断面を示す図である。
【図２】固定屋根付浮屋根式貯槽の内部浮屋根の一例の一部を断面とした概略拡大図である。
【図３】固定屋根付浮屋根式貯槽の内部浮屋根の一例の固定屋根を省略した内部の概略平面図である。
【図４】固定屋根付浮屋根式貯槽の内部浮屋根の一例の一部の概略拡大断面図である。
【図５】従来の貯槽のポンツーンタイプ浮屋根を説明するための説明図である。
【符号の説明】
【００２７】
１          内部浮屋根
２          板状部材
３          デッキ
４          外周リム板
５          内周リム板
６          ポンツーン
７          ポンツーン上板
８          張出部
１０        固定屋根付浮屋根式貯槽
１１        側板
１２        底板
１３        屋根
１５        消火剤放出装置
２０        貯蔵液
２１        液面
【図１】
0005120694.tif 000002
【図２】
0005120694.tif 000003
【図３】
0005120694.tif 000004
【図４】
0005120694.tif 000005
【図５】
0005120694.tif 000006